(57)【要約】      （修正有）【課題】窓の外枠や桟材等の枠材、ドア、窓やドア等の開口部における額縁、外壁パネル、内壁パネル、防火区画壁パネル、天井パネル、軒天井パネル等に好適で、防火性と断熱性に優れた安価な建築部材と、この建築部材の製造方法を提供する。【解決手段】結晶水を有する石膏が中空状の建築材の中空の中に充填または板状の建築材の裏側に直接付着されている建築部材。建築材が合成樹脂、アルミ二ウム、木質材のいずれかで構成されている。【選択図】図２
2005113487.tif 000002
【特許請求の範囲】
【請求項１】
結晶水を有する石膏が中空状の建築材の中空の中に充填されていることを特徴とする建築部材。
【請求項２】
結晶水を有する石膏が板状の建築材の裏側に直接付着されていることを特徴とする建築部材。
【請求項３】
前記建築材が合成樹脂、アルミニウム、木質材のいずれかで構成されていることを特徴とする請求項１または２記載の建築部材。
【請求項４】
水硬性石膏と水とからなる流動性の混合物を中空状の建築材の中空の中に流し込んだり板状の建築材の裏面に流し出した後に、硬化させて結晶水を有する石膏を建築材に設けることを特徴とする建築部材の製造方法。
【発明の詳細な説明】
【技術分野】
【０００１】
本発明は、窓の外枠や桟等の枠材、ドア、窓やドア等の開口部に設ける額縁、外壁パネル、内壁パネル、防火区画壁パネル、防火壁パネル、天井パネル、軒天井パネル等に好適な建築部材と、この建築部材の製造方法に関する。
特に、耐火性や防火性に優れた建築部材と、この建築部材の好適な製造方法に関する。
【背景技術】
【０００２】
従来、中空状のアルミニウムを外枠や桟等の枠材に使用したアルミサッシや、この中空状のアルミニウム製の枠材にガラス板を取り付けたガラス戸や、中空状のアルミニウムを矩形状に組み立てた額縁等の建築部材は、美麗であるし、寸法精度が良く密閉性に優れている。従って、この建築部材を取り付けた建物の防音性能がよく、広く使用されている。
【０００３】
しかし、このアルミサッシやガラス戸に使用するアルミニウムは熱伝導度がよいので、このアルミニウム製の枠材や額縁を通して熱が出入する。従って、このアルミニウム製のアルミサッシやガラス戸や額縁を取り付けた建物の暖房性能や冷房性能等の断熱性能が低下するという問題がある。特に、寒冷地等では、冬期の屋内と屋外との温度さが大きく熱伝導度のよいアルミニウム製の上記建築部材を使用すると、暖房性能が著しく低下する。その結果、現在では、このアルミニウム製のガラス戸は、寒冷地で殆ど使用されてない状態である。
【０００４】
この問題を解決するガラス戸として、ガラス板を支える繊維強化熱硬化性樹脂製の障壁部材と、この障壁部材を囲んだ熱可塑性樹脂製の外殻部材からなる外枠を使用したガラス戸が特許文献１に記載され、知られている。なお、このガラス戸の外枠には、この障壁部材と外側部材との間の中空の中に耐火性断熱材を設けることも記載されている。
また、建築部材では、耐火性、防火性も重要である。
【０００５】
この耐火性、防火性のよい建築部材としては種々知られている。
例えば、特許文献２には、鉄等の金属製の外枠と、この外枠の内部に設けられた網目状の金属シートと充填材とからなる防火用の雨戸が記載され、知られている。
なお、この際使用される充填材としては、骨材として膨張頁岩や火山礫を用い、セメント、水、及び鋼鉄製の繊維を混合したものを使用する。
この鉄等の金属は耐火性や防火性に優れているので、この防火用の雨戸を取り付けた建物の耐火性能や防火性能がよい。
【０００６】
一方、結晶水を有する石膏を２枚の板紙の間に挟んだ石膏ボードは、石膏の作用によって、建築部材としては重要な性質である耐火性や防火性、断熱性、防音性等に優れ、安価であること等から、建物の内装材や天井材等の建築材として広く使用されている。
しかしながら、この２枚の板紙の間に石膏を挟んだ石膏ボードは、水や湿気に弱くて、水分を多く含むと損傷し易くなるし、水分を含まなくとも単体としての強度は決して大きくなく、そのままでは外壁材等の耐水性を要求される建築材に使用し難い。
【０００７】
この問題を解決するものとして、この板紙を水に強くて機械的強度の大きな板体に取り替えた石膏ボードが知られている。
例えば、特許文献３には、石膏ボードの板紙の替わりに金属板を取り付けて耐火性、耐水性、遮音性を向上させた石膏ボードが記載され、知られている。
【０００８】
また、板紙で石膏を挟んだ石膏ボード等を耐水性のよい他の材料と組み合わせて、石膏ボードの欠点である耐水性を改良した外壁パネル等の建築部材が知られている。
例えば、特許文献４には、枠体の外面側に耐火性外装材と波形亜鉛鉄板を貼着し、内面側に石膏ボード等の内装材を貼着し、波形亜鉛鉄板と内装材の間にロックウール等の断熱材が設けて、耐火外装材や波形亜鉛鉄板で外側からの水から石膏を保護した耐火パネルが記載され、知られている。
【０００９】
【特許文献１】特開平８−６０９４７号公報
【特許文献２】特開平１０−３１７８３３号公報
【特許文献３】特開２００１−６２９５４号公報
【特許文献４】実公昭６１−２０８８９号公報
【発明の開示】
【発明が解決しようとする課題】
【００１０】
しかしながら、特許文献１記載のガラス戸では、外枠に熱伝導度の小さい熱硬化性樹脂や熱可塑性樹脂を使用するので、このガラス戸を取り付けた建物の断熱性能は向上するが、この熱硬化性樹脂や熱可塑性樹脂は燃え易く防火性や耐火性に劣るので、このガラス戸を取り付けた建物の耐火性能、防火性能が悪いという問題がある。
また、アルミサッシにおいても、厚みが小さいと火災ときに、溶け易い。従って、アルミサッシのアルミニウムの厚みを大きくする必要があり高価になるという問題がある。
【００１１】
また、特許文献２記載の雨戸では、外枠に鉄等の金属を使用するので、耐火性や防火性に優れるが、この金属は熱伝導度がよく、この雨戸を取り付けた建物の断熱性能が劣るという問題がある。
また、特許文献３記載の石膏ボードは金属板を使用するので、高価になるし、加工し難いという欠点があり、余り使用されない。
【００１２】
また、特許文献４に記載の耐火パネルでは、枠体の屋内側に石膏ボードを、また、屋外側に耐火性外装材と波形亜鉛鉄板をそれぞれ貼着するというように、結晶水を有する石膏と板紙とからなる石膏ボードを使用するが、燃え易い板紙があるだけ防火性や耐火性が低下するし、高価になるという問題がある。
また、燃え易い板紙が燃えると、石膏ボードがばらばらになり剥がれ落ち、防火性や耐火性が急激に低下するという問題もある。
【００１３】
また、特許文献３に記載の石膏ボードは、石膏を一旦２枚の金属板の間に設けるし、特許文献４に記載の石膏ボードは、石膏を一旦２枚の板紙の間に設けるが、これ等の建築材では、耐火性や防火性、断熱性、防音性に優れた結晶水を有する石膏が重要であり、板紙や金属は石膏を支持するものである。
即ち、上記石膏ボードでは、この余分の金属板や板紙があるだけ材料を多く使用するし、石膏を金属板や板紙で挟むという工程があるだけ高価になるという問題がある。
そこで、本発明の目的は、上記の問題点を解消し、防火性と断熱性に優れた安価な建築部材と、建築部材の製造方法を提供することである。
【課題を解決するための手段】
【００１４】
本発明は上記目的を達成するためになされたものであって、請求項１記載の発明は、結晶水を有する石膏が中空状の建築材の中空の中に充填されていることを特徴とする建築部材である。
【００１５】
この請求項１記載の発明に使用する中空状の建築材とは、材料を押し出したりプレスして中空状にしたり、板状の建築材を中空状に組み立てたものをいう。特に、セメントや珪酸カルシウムやアルミニウム等の材料を中空状に押し出した長手方向に略一定の断面の中空を有する建築材は、製造し易いので好ましい。
【００１６】
請求項２記載の発明は、結晶水を有する石膏が板状の建築材の裏側に直接付着されていることを特徴とする建築部材である。
【００１７】
この請求項２記載の発明に使用する板状の建築材とは、天井パネルや壁パネルのように、板状のものをいう。特に、天井パネルは、表面を下側にして略水平に取り付けるので、火災のときに、この裏面、即ち、上面に付着した石膏が天井材から剥がれ落ちることがなく好適である。
【００１８】
請求項１や２に記載されている結晶水を有する石膏とは、天然の石膏石であってもよいし、排ガスの脱硫装置等から出る結晶水を有する石膏でもよいし、石膏ボード等の廃棄物から発生する石膏でもよいし、天然の石膏や脱硫装置や廃棄物等から出る石膏を一度高温にして結晶水を失わせた後に水を加えて結晶水を有する石膏にしたものでもよい。
特に、石膏ボード等の廃棄物から発生する石膏や、この石膏を一度高温にして結晶水を失わせた後に水を加えて結晶水を有する石膏にしたものは、廃棄物が少なくなるし、資源をリサイクルすることができ好ましい。
そして、請求項１記載の発明では、この結晶水を有する石膏を中空の中に充填しているが、この充填する方法は適宜でよい。例えば、粉末にして詰め込んでもよいし、塊を挿入して充填してもよいし、結晶水を失った石膏と水とからなる流動性の混合物を充填してもよい。特に、石膏を一度高温にして、結晶水を失わせ、これに水を加えた流動性の混合物は、請求項４記載の発明のように、中空状の建築材の中空の中に流し込むだけで、中空の隅々まで充填できるし、このように充填しただけで、中空の中で自然に硬化し結晶水を有する石膏となるので、結晶水を有する石膏を中空の中に充填し易く好ましい。
【００１９】
また、請求項２記載の発明では、板状の建築材の裏側に直接付着させているが、この付着する手段は適宜でよい。例えば、粉末状の結晶水を有する石膏と接着剤と混合して石膏を接着させてもよいし、塊状の結晶水を有する石膏を接着剤で接着させてもよいし、流動性の結晶水を失った石膏と水とからなる混合物を板状の建築材の裏側に流し出して付着させてもよい。特に、石膏を一度高温にして、結晶水を失わせ、これに水を加えた流動性の混合物は、請求項４記載の発明のように、板状の建築材の表面や裏面に流し出するだけで、板状の表面や裏面に付着し、放置すると自然に硬化し結晶水を有する石膏となるので、建築材の裏面に付着させ易く好ましい。
【００２０】
また、請求項１や２に記載されている建築材は、適宜の建築材でよいが、請求項３記載の発明のように、合成樹脂とアルミニウムや木質材であると、製造し易いし美麗であるので好適である。そして、合成樹脂や木質材は断熱性がよいし、アルミニウムは耐水性、防火性がよいので、断熱性を特に重要視する場所には合成樹脂や木質材を使用し、耐水性や防火性を重要視する場所ではアルミニウムを使用するというように、使用する場所に応じて適宜選択して使用すればよい。
【００２１】
即ち、請求項３記載の発明は、請求項１または２記載の発明に係り、前記建築材が合成樹脂、アルミニウム、木質材のいずれかで構成されていることを特徴とするものである。
【００２２】
この請求項３記載の発明に使用する合成樹脂とは、ポリエステル樹脂等の熱硬化性樹脂や、この熱硬化性樹脂の中にガラス繊維等の繊維を混入した繊維強化熱硬化性樹脂であってもよいし、ポリ塩化ビニル樹脂やポリアクリル樹脂等の熱可塑性樹脂であってもよい。
また、木質材とは、木板、合板、パーチクルボード、ハードボード等の木や木を加工した材料をいう。
【００２３】
そして、この請求項３記載の発明では、建築材が合成樹脂、アルルミニウム、木質材のいずれかで構成されているが、これは、合成樹脂、アルミニウム、木質材のうちのいずれか１種類だけで構成されていてもよいし、２種類以上を組み合わせて構成されていてもよいし、表面に化粧紙のような化粧材を設けるというように別の材料と組み合わせて構成されてもよい。
【００２４】
請求項４記載の発明は、水硬性石膏と水とからなる流動性の混合物を中空状の建築材の中空の中に流し込んだり板状の建築材の裏面に流し出した後に、硬化させて結晶水を有する石膏を建築材に設けることを特徴とする建築部材の製造方法である。
【００２５】
この請求項４記載の発明における水硬化性石膏とは、石膏を一度高温にして結晶水を失わせたものであって、これに水を加えると流動性の混合物となり、しばらくすると、硬化して結晶水を有する石膏となるものである。
なお、石膏を更に高温にして結晶水を全く含まなくした石膏（死石膏）は水を加えても結晶水を有する石膏に硬化しないので、かかる石膏は本発明における水硬化性石膏でない。
【００２６】
（作用）
請求項１記載の発明では、結晶水を有する石膏が中空状の建築材の中空の中に充填されていて、この結晶水を有する石膏は、多量の結晶水を保有し、この結晶水が失われるまで高温になり難く、耐火性、防火性に優れるし、熱容量が大きく断熱性に優れるし、質量が大きくて防音性に優れるので、この建築部材は、この中空の中に充填されている結晶水を有する石膏の作用で、耐火性、防火性、断熱性、防音性に優れる。
また、この結晶水を有する石膏は、充填されているので、板紙や金属板で挟んで石膏ボードにする工程を必要とせず、建築部材を製造し易く且つ安価に製造できる。
【００２７】
なお、従来の板紙で挟んだ石膏ボードのように燃え易い板紙がないので、耐火性や防火性が低下しないし、火災のときには、充填されている石膏が建築材から落下しない。
また、建築材に耐水性の良好なアルミニウムや合成樹脂を使用すると、この結晶水を有する石膏が表面に顕ず、表面に顕れている耐水性のよいアルミニウムや合成樹脂が耐水性の悪い石膏を保護する。その結果、この建築部材は、耐水性に優れ、窓等の枠材や額縁やドアや軒天井部材や外壁部材として好適な建築部材となる。
【００２８】
請求項２記載の発明では、結晶水を有する石膏が板状の建築材の裏側に直接付着されているので、この建築部材は、結晶水を有する石膏の作用で、耐火性、防火性、断熱性、防音性に優れたものである。
また、この結晶水を有する石膏は、付着されているので、板紙や金属板で挟んで石膏ボードにする工程を必要とせず、建築部材を製造し易く且つ安価に製造できる。
なお、従来の板紙で挟んだ石膏ボードのように燃え易い板紙がないので、耐火性や防火性を低下させない。
特に、この建築部材が天井パネルであると、下側に略水平な天井材があり、この上に結晶水を有する石膏が付着しているので、火災のときに、石膏が建築材の上に止まり、防火性を発揮する。従って、極めて好ましい天井パネルである。
【００２９】
請求項３記載の発明では、請求項１または２記載の発明に係り、前記建築材が合成樹脂、アルミニウム、木質材のいずれかで構成されているので、この請求項３記載の建築部材は、請求項１または２記載の作用に加えて、合成樹脂やアルミニウムや木質材が表面に顕れていて石膏が見えず、美麗である。
【００３０】
請求項４記載の発明では、水硬性石膏と水とからなる流動性の混合物を中空状の建築材の中空の中に流し込んだり板状の建築材の裏面に流し出した後に、硬化させて結晶水を有する石膏を建築材に設けるので、水硬化性石膏と水とからなる流動性の混合物を建築材の中空の中に流し込んだり裏面に流し出すだけでよく、従来の石膏ボードのように、一旦、板紙や鉄板の上に流し出して石膏ボードを製造し、この石膏ボードを他の材料と組み合わせて建築部材を製造する必要がなく、建築部材が簡単に且つ安価に製造できる。
特に、混合物を中空の中に流し込むときには、この混合物が流動性であるので、混合物を小さな開口部からでも流し込むだけで、中空の中の隅々まで充填することができ、極めて便利である。
【発明の効果】
【００３１】
以上の説明で判るように、請求項１記載の発明は、結晶水を有する石膏が中空状の建築材の中空の中に充填されているから、中空の中に充填されている結晶水を有する石膏の作用で、耐火性、防火性、断熱性、防音性に優れた建築部材である。
また、この結晶水を有する石膏は、充填されているので、板紙や金属板で挟む工程を必要とせず、この建築部材を易く且つ安価に製造することができる。
なお、この建築部材は石膏を建築材の中空の中に充填されていて、可燃性の板紙を使用しない。従って、耐火性や防火性が低下しない。
【００３２】
請求項２記載の発明は、結晶水を有する石膏が板状の建築材の裏側に直接付着されているから、この建築部材は、結晶水を有する石膏の作用で、耐火性、防火性、断熱性、防音性に優れる。
また、この結晶水を有する石膏は、建築材の裏面に付着されているので、板紙や金属板で挟む工程を必要とせず、この建築部材を製造し易く且つ安価に製造することができる。
なお、この建築部材は、石膏が建築材の裏面に直接付着されていて、可燃性の板紙を使用しない。従って、耐火性や防火性が低下しない。
【００３３】
請求項３記載の発明は、請求項１または２記載の発明に係り、前記建築材が合成樹脂、アルミニウム、木質材のいずれかで構成されているから、請求項１または２記載の効果に加えて、外側から石膏が見えず、合成樹脂やアルミニウムや木質材だけが見えて美麗な建築部材である。
【００３４】
請求項４記載の発明は、水硬性石膏と水とからなる流動性の混合物を中空状の建築材の中空の中に流し込んだり板状の建築材の裏面に流し出した後に、硬化させて結晶水を有する石膏を建築材に設けるので、請求項１〜３の建築部材を簡単に製造することができるし、板紙や鉄板等で挟んで石膏ボードにする工程を必要とせず、安価に製造することができる。
特に、混合物を中空の中に流し込むときには、この混合物が流動性であるので、混合物を小さな開口部からでも流し込んで、中空の中の隅々まで充填することができ、極めて便利である。
【発明を実施するための最良の形態】
【００３５】
以下、本発明を実施するための最良の形態を実施例で詳細に説明する。
【実施例１】
【００３６】
図１〜図３は本発明の一実施例であって、図１は建物を示す斜視図、図２は窓部分の縦断面図、図３は窓部分の横断面図である。
図１〜図３において、Ｈは寒冷地に建てられた建物であり、この建物Ｈの壁１には、図２及び図３の窓の周囲に一部示されているように、外壁パネル２と内壁パネル３が取り付けられ、窓を設ける場所には、外壁パネル２と内壁パネル３を切欠した開口部４が設けられている。
そして、この開口部４には、図２及び図３に示すように、建築部材であるアルミニウム製の額縁６が嵌め込まれ、床５や天井５５にビス６９で取り付けられている。
【００３７】
この額縁６には、建築部材であるアルミサッシ７が嵌め込まれ、内壁パネル２から構造材に螺入されたビス７９で取り付けられている。
このアルミサッシ７には、ガラス戸８と雨戸９がスライド自在に取り付けられている。
額縁６は、アルミニウムを、図２及び図３に示す断面のように、中空状に押し出し、適宜長さに切断して、略同じ断面の中空６１を有する長尺体の建築材とし、この建築材の中空６１の中に結晶水を有する石膏６３を充填し、矩形状に組み立てたものである。
【００３８】
尚、額縁６が外壁面より内側に取り付けられ、それ程断熱性が要求されない場合には、中空６１の中に結晶水を有する石膏６３を充填しないでもよい。
アルミサッシ７は、アルミニウムを、図２及び図３に示すように、中空状に押し出し、適宜長さに切断して、略同じ断面の中空６１を有する長尺体の建築材とし、この建築材の中空７１の中に結晶水を有する石膏７３を充填し、矩形状に組み立てたものである。なお、下側枠にはレール７５を設けた長尺体を使用する。
【００３９】
ガラス戸８は、外側枠８２と二重ガラス８４とからなる。
外側枠８２は、アルミニウムを、図２及び図３に示すように、中空状に押し出し、適宜長さに切断して略同じ断面の中空８１を有する長尺体の建築材とし、この建築材の中空８１の中に結晶水を有する石膏８３を充填し、矩形状に組み立て、下側枠に車輪８５を取り付けたものである。
二重ガラス８４は２枚のガラス板を略平行に配置し、側縁部をシールし、内部に乾燥空気を封入したものであり、断熱性のよいガラス板である。そして、この２重ガラス８４は外側枠８２に嵌め込まれている。
雨戸９は、アルミニウムを、図２及び図３に示す断面のように、押し出し、適宜長さに切断して建築材とし、この建築材を矩形状に組み立て、この矩形状の建築材の屋外面にアルミニウム板を取り付けたものである。
【００４０】
次に、この窓の施工方法と作用を説明する。
アルミニウムを図２及び図３に示すような断面を有する長尺体に押し出し、適宜長さに切断して額縁６やアルミサッシ７やガラス戸８に使用する建築材を製造する。
一方、天然石膏または排ガスの脱硫装置等から発生する石膏を高温にして結晶水を除いた水硬化性石膏に水を加えて流動性の混合物を製造する。
そして、この流動性の混合物を先に製造している建築材の中空６１、７１、８１の中に流し込む。しばらく放置すると、中空６１、７１、８１の中で流動物が固化し、結晶水を有する石膏となる。
【００４１】
この結晶水を有する石膏を充填した建築材を矩形状に組み立てて額縁６やアルミサッシ７を製造する。また、矩形状に組み立てて外側枠８２を製造し、この外側枠８２に２重ガラス８４を嵌め込んだり車輪８５を取り付けてガラス戸８を製造する。
このように、水硬化性石膏と水とからなる流動性の混合物を中空状の建築材の中空６１、７１、８１の中に流し込むと、流動性の混合物を中空６１、７１、８１の隅々まで充填することができるし、この充填した後に、しばらく放置すると、中空６１、７１、８１の中で硬化して結晶水を有する石膏が充填された額縁６やアルミサッシ７やガラス戸８等の建築部材となるので、これ等の建築部材を簡単に且つ安価に製造することができる。
また、雨戸９を製造する。
【００４２】
次に、この額縁６を、図２及び図３に示すように、開口部４に嵌め込み、床５や天井５５にビス６９で固定する。
また、このアルミサッシ７を、図２及び図３に示すように、額縁６に嵌め込み、内壁にビス７９で固定する。
次に、このアルミサッシ７にガラス戸８と雨戸９をスライド自在に取り付けると、窓が完成する。
【００４３】
このようにして完成した窓には、中空状の建築材の中空６１、７１、８１の中に結晶水を有する石膏６３、７３、８３が充填されている額縁６やアルミサッシ７やガラス戸８等の建築部材が屋内と屋外との間に幾重にも設けられているので、この窓を有する建物Ｈは、この幾重にも設けられている建築部材に充填されている結晶水を有する石膏の作用で、耐火性や防火性、断熱性、防音性に優れる。
従って、北海道等の寒冷地でも十分に使用できる。また、耐火性や防火性もよくなるので、例えば、アルミニウムの厚みが従来と略同じであると、防火性が従来よりよい建物となる。また、従来と略同じ防火性を必要とするだけの場合には、アルミニウムの厚みを若干薄くすることができ、これだけ安価になる。
【００４４】
なお、この結晶水を有する石膏６３、７３、８３は充填されていて、従来の石膏ボードのように板紙がないので、耐火性や防火性を低下させないし、火災のときには、石膏が建築材から落下しない。
【実施例２】
【００４５】
図４及び図５は本発明の他の実施例であって、図４は窓部分の縦断面図、図５は窓部分の横断面図である。
この図４及び図５に示す窓に取り付けるアルミサッシ７ａやガラス戸８ａは、北海道等の寒冷地以外の場所に設けるもので、実施例の窓より断熱性が若干劣るものである。
即ち、この窓を実施例２を図１〜図３に示す実施例１の窓と比較すると、額縁がなくアルミサッシ７ａが直接開口部４ａに取り付けられていること、アルミサッシ７ａとガラス戸８ａの形状が若干異なるし、ガラス戸８ａが一枚のガラス板であり、アルミサッシ７ａには結晶を有する石膏７３ａが充填されてないことが異なるだけである。その他の構造は略同じであるので、構造の詳細な説明を省略する。
【００４６】
次に、この窓の施工方法と作用を説明する。
この窓の施工方法及び作用も実施例１と略同じである。
即ち、アルミニウムを図４及び５に示すような断面を有する長尺体に押し出し、適宜長さに切断してアルミサッシ７ａやガラス戸８ａに使用する建築材を製造する。
そして、実施例１で使用した流動性の混合物をこのガラス戸８ａに使用する外側枠８２ａの中空８１ａの中に流し込むと、流動性の混合物は中空８１ａの隅々まで充填される。しばらく放置すると、中空８１ａの中で流動性の混合物が固化し、結晶水を有する石膏となる。
【００４７】
これ等の建築材を矩形状に組み立ててアルミサッシ７ａとしたり、矩形状に組み立て、ガラスを嵌め込んだり車輪８５ａを取り付けてガラス戸８ａを製造する。
このように、水硬化性石膏と水とからなる流動性の混合物を中空状の建築材の中空８１ａの中に流し込むだけで、結晶水を有する石膏８３ａを建築材の中空８１ａの中に設けることができる。従って、この建築材を使用して、ガラス戸８ａ等の建築部材をを簡単に且つ安価に製造することができる。
また、雨戸９ａを製造する。
【００４８】
そして、このアルミサッシ７ａを、図４及び図５に示すように、開口部４ａに嵌め込み、床５ａや天井５５ａにビス７９ａで固定する。
次に、このアルミサッシ７ａにガラス戸８ａと雨戸９ａをスライド自在に取り付けると、窓が完成する。
このようにして完成した窓では、建築部材のガラス戸８ａには、中空状の建築材の中空８１ａの中に結晶水を有する石膏８３ａが充填されているので、このガラス戸８ａは、この結晶水を有する石膏の作用で、耐火性、防火性、断熱性、防音性に優れる。
【００４９】
なお、実施例１と比較すると、額縁がないし、結晶水を有する石膏の使用量も少ないし、ガラス板が２重になっていないので、実施例より若干断熱性に劣るが、寒冷地以外では十分に使用できる。また、耐火性や防火性に優れるので、例えば、アルミニウムの厚みが従来と略同じであると、防火性が従来よりよくなるし、従来と略同じ防火性を必要とするだけの場合には、アルミニウムの厚みを若干薄くすることができ、これだけ安価になる。
また、この結晶水を有する石膏８３ａは、充填されているので、従来の石膏ボードのように板紙がなく、耐火性や防火性を低下させないし、火災のときには、石膏が建築材から落下しない。
【実施例３】
【００５０】
図６は本発明の別の実施例であって、玄関ドアーの一部切欠斜視図である。
図６において、６ｂは建築部材である玄関ドアーである。
この玄関ドアー６ｂは、木材を矩形状に組み立てた枠６６ｂとこの上下の枠６６ｂに差し渡された複数本の木製の桟６７ｂと、この枠６６ｂと桟６７ｂの両側に取り付けられた合板製の表面板６８ｂと、この枠６６ｂと、桟６７ｂと、表面板６８ｂとで囲まれた複数の中空６１ｂに充填された結晶水を有する石膏６３ｂと、把手６４ｂとからなる。
【００５１】
次に、この玄関ドアー６ｂの製造方法及び作用について説明する。
枠６６ｂを矩形状に組み立て、この上下の枠６６ｂに複数本の木製の桟６７ｂを差し渡して取り付け、この枠６６ｂと桟６７ｂの両側に表面板６８ｂを取り付ける。
上側の枠６６ｂに複数の中空のそれそれに通じる複数個の通孔６９ｂを設ける。
また、把手６４ｂを取り付ける。
【００５２】
一方、天然石膏または排ガスの脱硫装置等から発生する石膏を高温にして結晶水を除いた水硬性石膏に水を加えて流動性の混合物を製造する。
そして、この流動性の混合物を、先に製造している上側の枠６６ｂに設けられている通孔６９ｂから中空６１ｂの中に流し込む。
すると、流動性の混合物は中空６１ｂの隅々まで入る。このように小さな通孔６９ｂから流動性の混合物を流し込むだけで、中空６１ｂの隅々まで充填できるので、施工が簡単である。
【００５３】
しばらくすると、中空６１ｂの中で流動物が固化し、結晶水を有する石膏となる。
最後に、通孔６９ｂを塞いだり把手６４ｂを取り付けると玄関ドア６ｂが完成する。
この玄関ドー６ｂを建物の玄関に取り付ける。
このように、水硬化性石膏と水とからなる流動性の混合物を中空状の建築部材である玄関ドア６ｂの中空６１ｂの中に流し込むだけで、しばらくすると、自然に硬化して結晶水を有する石膏６３ｂを建築材の中空６１ｂの中に充填することができ、玄関ドア７ｂを簡単に且つ安価に製造することができる。
【００５４】
このようにして完成した玄関ドアｂでは、中空６１ｂの中に結晶水を有する石膏が充填されているので、この玄関ドア６ｂは、この結晶水を有する石膏の作用で、耐火性、防火性、断熱性、防音性に優れ、防火ドアとすることができる。
なお、この結晶水を有する石膏は、充填されているので、従来の石膏ボードのように板紙がなく、耐火性や防火性が低下しないし、火災のときには、石膏が玄関ドア６ｂから落下しないし、石膏を板紙に挟む工程がないだけ安価になる。
【実施例４】
【００５５】
図７及び図８は本発明の更に別の実施例であって、図７は防火区画壁パネルの斜視図、図８は防火区画壁パネルを組み立てた防火区画壁の一部を示す斜視図である。
図７及び図８において、６ｃは建築部材である防火区画壁パネルである。
この防火区画壁パネル６ｃは、アルミニウムを図７に示すような両側に中空６１ｃのある連結部６４ｃを有し、且つ、本体部分にも中空６１ｃを有する断面形状に押し出し、適宜長さに切断した建築材の中空６１ｃの中に結晶水を有する石膏６３ｃを充填したものである。
【００５６】
次に、この防火区画壁パネル６ｃの製造方法及び作用について説明する。
アルミニウムを図７に示すような断面を有する長尺体に押し出し、適宜長さに切断して建築材を製造する。
一方、天然石膏または排ガスの脱硫装置等から発生する石膏を高温にして結晶水を除いた水硬化性石膏に水を加えて流動性の混合物を製造する。
そして、この流動性の混合物を、先に製造した建築材の中空６１ｃの中に流し込む。
すると、流動性の混合物は中空６１ｃの隅々まで充填される。
その後、しばらく、放置すると、中空６１ｃの中の流動物が固化し、結晶水を有する石膏となり、防火区画壁パネル６ｃが完成する。
【００５７】
このように、この流動性の混合物を、先に製造した建築材の中空６１ｃの中に流し込むだけで、中空６１ｃの中で混合物が固化し、結晶を有する石膏となる。このようにして防火区画壁パネル６ｃを製造することができるので、防火区画壁パネル６ｃを簡単に且つ安価に製造することができる。
この建物な中に防火区画壁パネル６ｃを連結部６４ｃを組み合わせながら、複数個立設し、この複数個の防火区画壁パネル６ｃの隙間にシール材６９ｃを設けると、防火区画壁Ｋｃが完成する。
【００５８】
このようにして完成した防火区画壁Ｋｃでは、防火区画壁パネル６ｃの中空６１ｂの中に結晶水を有する石膏６３ｃがあり、この結晶水を有する石膏６３ｃの作用で耐火性、防火性、断熱性、防音性に優れたものである。
なお、この結晶水を有する石膏は、充填されているので、従来の石膏ボードのように板紙を使用する必要がなく、耐火性や防火性が低下しないし、火災のときには、石膏が防火区画壁Ｋｃから落下しない。また、この防火区画壁パネル６ｃを石膏を板紙に挟む工程が必要ないだけ安価に製造することができる。
【実施例５】
【００５９】
図９及び図１０は本発明の更に別の実施例であって、図９は天井パネルの一部切欠斜視図、図１０は天井パネルを組み立てた天井の一部を示す斜視図である。
図９及び図１０において、６ｄは建築部材である天井パネルである。
この天井パネル６ｄは、熱可塑性合成樹脂を図９に示すような中空６１ｄのある連結部６４ｄを有する断面形状に押し出し、適宜長さに切断した建築材６２ｄの中空６１ｄの中に結晶水を有する石膏６３ｄを充填し、裏側に結晶水を有する石膏６３ｄを付着させたものである。
【００６０】
次に、この天井パネル６ｄの製造方法及び作用について説明する。
熱可塑性合成樹脂を図９に示すような中空６１ｄの断面を有する長尺体に押し出し、適宜長さに切断して建築材６２ｄを製造する。
一方、天然石膏または排ガスの脱硫装置等から発生する石膏を高温にして結晶水を除いた水硬性石膏に水を加えて流動性の混合物を製造する。
【００６１】
そして、この流動性の混合物を、先に製造した建築材６２ｄの中空６１ｄの中に流し込む。また、この混合物を建築材６２ｄの裏面に流し出す。しばらくすると、中空６１ｄの中の混合物や建築材６２ｄの裏面に付着している混合物が固化し、結晶水を有する石膏６３ｄとなり、石膏６３ｄが中空６１ｄの中に充填されたり、裏面に付着している天井パネルｄｃが完成する。
【００６２】
このように、この流動性の混合物を、先に製造した建築材の中空６１ｄの中に流し込んだり、裏面に流し出すだけで、中空６１ｄの中に充填したり、裏面に付着した天井パネル６ｄが製造できるので、天井パネル６ｄを簡単に且つ安価に製造することができる。
この天井パネル６ｄを連結部６４ｄを組み合わせながら、天井部分に取り付けると、天井Ｋｄを設けることができる。
このようにして完成した天井Ｋｄでは、天井パネル６ｄの中空６１ｄの中や裏面には、結晶水を有する石膏６３ｄがあり、この結晶水を有する石膏６３ｄの作用で耐火性、防火性、断熱性、防音性に優れたものである。
【００６３】
なお、この結晶水を有する石膏は、充填されたり直接付着しているので、従来の石膏ボードのように板紙がなく、耐火性や防火性が低下しないし、火災のときには、石膏が天井Ｋｄから落下しないし、石膏を板紙に挟む工程が必要でないだけ安価になる。
【実施例６】
【００６４】
図１１及び図１２は本発明の更に別の実施例であって、図１１は間仕切り壁パネルの一部切欠斜視図、図１２は間仕切り壁パネルを組み立てた間仕切り壁の一部を示す斜視図である。
図１１及び図１２において、６ｅは建築部材である間仕切り壁パネルである。
この間仕切り壁パネル６ｅは、熱可塑性合成樹脂を図１１に示すように、両側に中空６１ｅのなる連結部６４ｅを有し、且つ、本体部分にも中空６１ｅを有する断面を有する形状に押し出し、適宜長さに切断した建築材の中空６１ｅの中に結晶水を有する石膏６３ｅを充填したものである。
【００６５】
次に、この間仕切り壁パネル６ｅの製造方法及び作用について説明する。
アルミニウムを図１１に示すような断面を有する長尺体に押し出し、適宜長さに切断して建築材を製造する。
一方、天然石膏または排ガスの脱硫装置等から発生する石膏を高温にして結晶水を除いた水硬化性石膏に水を加えて流動性の混合物を製造する。
そして、この流動性の混合物を、先に製造した建築材の中空６１ｅの中に流し込んだ後に、暫く、放置すると、中空６１ｅの中の流動物が固化し、結晶水を有する石膏となり、間仕切り壁パネル６ｅが完成する。
【００６６】
このように、この流動性の混合物を、先に製造した建築材の中空６１ｅの中に流し込むだけで、中空６１ｅの中の混合物が固化し、結晶を有する石膏となり、間仕切り壁パネル６ｅとなるので、間仕切り壁パネル６ｅを簡単に、且つ、安価に製造することができる。
この間仕切り壁パネル６ｅを連結部６４ｅを下から上に並べると、間仕切り壁Ｋｅとなる。
【００６７】
このようにして完成した間仕切り壁Ｋｅでは、中空状の外壁パネル６ｅの中空６１ｅの中に結晶水を有する石膏６３ｅがあり、この結晶水を有する石膏６３ｅの作用で耐火性、防火性、断熱性、防音性に優れる。
なお、この結晶水を有する石膏は、充填されているので、従来の石膏ボードのように板紙がなく、耐火性や防火性が低下しないし、火災のときには、石膏が間仕切り壁Ｋｅから落下しないし、石膏を板紙に挟む工程が必要でないだけ安価になる。
【実施例７】
【００６８】
図１３及び図１４は本発明の更に別の実施例であって、図１３は外壁パネルの一部切欠斜視図、図１４は外壁パネルを組み立てた外壁の一部を示す斜視図である。
図１１及び図１２において、６ｆは建築部材である外壁パネルである。
この外壁パネル６ｆは、熱可塑性合成樹脂を図１１に示すように両側に中空６１ｆのある連結部６４ｆを有し、且つ、本体部分にも中空６１ｆを有する断面形状に押し出し、適宜長さに切断した建築材の中空６１ｆの中に結晶水を有する石膏６３ｆを充填したものである。
【００６９】
次に、この外壁パネル６ｆの製造方法及び作用について説明する。
合成樹脂を図１１に示すような断面を有する長尺体に押し出し、適宜長さに切断して建築材を製造する。
一方、天然石膏または排ガスの脱硫装置等から発生する石膏を高温にして結晶水を除いた水硬化性石膏に水を加えて流動性の混合物を製造する。
そして、この流動性の混合物を、先に製造した建築材の中空６１ｆの中に流し込んだ後に、暫く、放置すると、中空６１ｆの中の流動物が固化し、結晶を有する石膏となり、外壁パネル６ｆが完成する。
【００７０】
このように、この流動性の混合物を、先に製造した建築材の中空６１ｆの中に流し込むだけで、中空６１ｆの中の混合物が固化し、結晶を有する石膏となり、外壁パネル６ｆとなるので、外壁パネル６ｆを簡単に且つ安価に製造することができる。
この外壁パネル６ｆの複数個を連結部６４ｆを下から上に並べて取り付け、複数個の外壁パネル６ｆの隙間をシールすると、外壁Ｋｆが完成する。
【００７１】
このようにして完成した外壁Ｋｆでは、中空状の外パネル６ｆの中空６１ｆの中に結晶水を有する石膏６３ｆがあり、この結晶水を有する石膏６３ｆの作用で耐火性、防火性、断熱性、防音性に優れたものである。
なお、この結晶水を有する石膏は、充填されているので、従来の石膏ボードのように板紙がなく、耐火性や防火性が低下しないし、火災のときには、石膏が外壁Ｋｆから落下しないし、石膏を板紙に挟む工程が必要ないだけ安価になる。
【実施例８】
【００７２】
図１５及び図１６は本発明の別の実施例であって、図１５は内壁パネルの一部切欠斜視図、図１６は内壁パネル組み立てた内壁の一部を示す斜視図である。
図１５及び図１６において、６ｇは建築部材である内壁パネルである。
この外壁パネル６ｇは、熱可塑性合成樹脂を中空状に押し出し、適宜長さに切断して、図９に示すように、連結部６４ｇに断面略一定の中空６１ｇを有する長尺体である建築材を製造し、この建築材の中空６１ｇの中に結晶水を有する石膏６３ｇを充填すると同時に、裏側に結晶水を有する石膏６３ｇを付着させたものである。
【００７３】
次に、この内壁パネル６ｇの製造方法及び作用について説明する。
熱可塑性合成樹脂を図９に示すような断面を有する長尺体に押し出し、適宜長さに切断して建築材を製造する。
一方、天然石膏または排ガスの脱硫装置等から発生する石膏を高温にして結晶水を除いた水硬性石膏に水を加えて流動性の混合物を製造する。
そして、この流動性の混合物を、先に製造した建築材の中空６１ｇの中に流し込むと同時に、建築材の裏面に流し出す。しばらく放置すると、中空６１ｇの中の流動物や建築材の裏面に付着している流動物が固化し、結晶水を有する石膏６３ｇとなり、外壁パネルｇが完成する。
【００７４】
このように、この流動性の混合物を、先に製造した建築材の中空６１ｇの中に流し込んだり、裏面に流し出すだけで、中空６１ｇの中と裏面に付着している混合物が固化し、結晶を有する石膏６３ｇとなり、外壁パネル６ｇが製造できるので、外壁パネル６ｇを簡単に且つ安価に製造することができる。
この外壁パネル６ｇを連結部６４ｇを組み合わせながら、外壁部分に取り付けると、外壁Ｋｇを設けることができる。
【００７５】
このようにして完成した内壁Ｋｇでは、外壁パネル６ｇの中空６１ｇの中や裏面には、結晶水を有する石膏６３ｇがあり、この両方の結晶水を有する石膏６３ｇの作用で耐火性、防火性、断熱性、防音性に優れたものである。
なお、この充填されている石膏は、充填されたり直接付着しているので、従来の石膏ボードのように板紙がないので、耐火性や防火性が低下しない。また、この外壁パネル６ｇを石膏を板紙に挟む工程が必要ないだけ安価に製造することができる。
【産業上の利用可能性】
【００７６】
この実施例では、額縁、アルミサッシ、ガラス戸、玄関ドア、防火区画壁、天井パネル、内壁パネル、外壁パネル、間仕切り壁パネル等について説明したが、この発明の建築部材はこれ等に限定されない。例えば、室内ドア、合成樹脂サッシ、襖等に応用することができる。
また、建築部材に、合成樹脂、アルミニウム、木質材等の建築材を使用しているが、その他の建築材も使用することができる。例えば、硬質木片セメント板、岩綿板、繊維補強セメント板等の無機質の材料も使用可能であるし、鉄板等の金属板も使用可能である。
更に、建築部材としては、建築材の表面に化粧板や化粧紙を張り付けたものでもよい。
【図面の簡単な説明】
【００７７】
【図１】実施例１の建物を示す斜視図である。
【図２】実施例１の窓部分の縦断面図である。
【図３】実施例１の窓部分の横断面図である。
【図４】実施例２の窓部分の縦断面図である。
【図５】実施例２の窓部分の横断面図である。
【図６】実施例３の玄関ドアーの一部切欠斜視図である。
【図７】実施例４の防火区画壁パネルの斜視図である。
【図８】実施例４の防火区画壁パネルを組み立てた防火区画壁の一部を示す斜視図である
【図９】実施例５の天井パネルの斜視図である。
【図１０】実施例５の天井パネルを組み立てた天井の一部を示す斜視図である。
【図１１】実施例６の間仕切り壁パネルの斜視図である。
【図１２】実施例６の間仕切り壁パネルを組み立てた間仕切り壁の一部を示す斜視図である。
【図１３】実施例７の外壁パネルの斜視図である。
【図１４】実施例７の外壁パネルを組み立てた外壁の一部を示す斜視図である。
【図１５】実施例７の内壁パネルの斜視図である。
【図１６】実施例７の内壁パネルを組み立てた外壁の一部を示す斜視図である。
【符号の説明】
【００７８】
６              建築部材（額縁）
６１            中空
６３            結晶水を有する石膏
７、７ａ        建築部材（アルミサッシ）
７１、７１ａ    中空
７３、７３ａ    結晶水を有する石膏
８、８ａ        建築部材（ガラス戸）
８１、８１ａ    中空
８３、８３ａ    結晶水を有する石膏
６ｂ            建築部材（玄関ドア）
６１ｂ          中空
６３ｂ          結晶水を有する石膏
６ｃ            建築部材（防火区画壁パネル）
６１ｃ          中空
６３ｃ          結晶水を有する石膏
６ｄ            建築部材（天井パネル）
６１ｄ          中空
６３ｄ          結晶水を有する石膏
６ｅ            建築部材（間仕切り壁パネル）
６１ｅ          中空
６３ｅ          結晶水を有する石膏
６ｆ            建築部材（外壁パネル）
６１ｆ          中空
６３ｆ          結晶水を有する石膏
６ｇ            建築部材（内壁パネル）
６１ｇ          中空
６３ｇ          結晶水を有する石膏
【図１】
2005113487.tif 000003
【図２】
2005113487.tif 000004
【図３】
2005113487.tif 000005
【図４】
2005113487.tif 000006
【図５】
2005113487.tif 000007
【図６】
2005113487.tif 000008
【図７】
2005113487.tif 000009
【図８】
2005113487.tif 000010
【図９】
2005113487.tif 000011
【図１０】
2005113487.tif 000012
【図１１】
2005113487.tif 000013
【図１２】
2005113487.tif 000014
【図１３】
2005113487.tif 000015
【図１４】
2005113487.tif 000016
【図１５】
2005113487.tif 000017
【図１６】
2005113487.tif 000018